(57)【要約】      （修正有）【課題】ベンドなしで２つのキーのメジャースケールが演奏でき、コード的にもメジャー、マイナーを兼用できるハーモニカを提供する。【解決手段】１穴につき吹音用リードと吸音用リードを１枚ずつ有するシングルリード式のハーモニカ、あるいは複音ハーモニカであって、音域は随意であるが、吹音用リードの音列を、ド  ミ  ソ  シ♭  ド  ミ  ソ  シ♭  ド  ミ  ソ  シ♭のパターンの繰り返しとし、吸音用リードの音列を、レ  ファ  ラ  シ  レ  ファ  ラ  シ  レ  ファ  ラ  シのパターンの繰り返とする。【選択図】図１
0003180250.tif 000002
【実用新案登録請求の範囲】
【請求項１】
構造としては、従来のテンホールズ・ハーモニカと同じ、またはこのハーモニカのカバー部分と本体との間を仕切り板によっていくつかに分割し、各リードをこの仕切られた部屋に１枚ずつ隔離した構造としたハーモニカ、あるいは複音ハーモニカと同じとし、音域は随意であるが、音の配列を、吹音用リードを、
ド  ミ  ソ  シ♭  ド  ミ  ソ  シ♭  ド  ミ  ソ  シ♭
のパターンの繰り返しとし、吸音用リードを、
レ  ファ  ラ  シ  レ  ファ  ラ  シ  レ  ファ  ラ  シ
のパターンの繰り返としたハーモニカ。
【考案の詳細な説明】
【技術分野】
【０００１】  この考案はテンホールズハーモニカにおいてベンドなしで２つのキーのメジャースケールを演奏できるようにするとともに、ブルースでの演奏をやりやすくしたハーモニカの音列に関するものである。
【背景技術】
【０００２】  従来、ブルースハープ（１０ホールズハーモニカ）、複音ハーモニカなどは音の配列が音階の順に並んでいなかったために、やや吹きずらい面があった。
これらのハーモニカは、吹音がド、ミ、ソの３音、吸音がレ、ファ、ラ、シの４音となっている。吸音が吹音より１音多いため、中音域と低音域、高音域で音の配列パターンが異なってしまう。このイレギュラーな音列はお世辞にも吹き易いものであるとはいえなかった。テンホールズハーモニカの場合、このイレギュラーな音の配列のため、中低音域では吹音よりも吸音の音が高く、高音域では逆に吸音よりも吹音の音が高くなっている。
このことはベンド奏法によってブルーノートを出す際、１つの障害となっていた。【０００３】  この考案は内部に仕切り板を入れたハーモニカで構成するとさらに好ましい。ハーモニカに仕切り板を入れるアイデアが初めて現れたのは、鈴木楽器製作所による特開２０００−６６６６２（Ｐ２０００−６６６６２Ａ）においてであった。これはテンホールズ・ハーモニカにおいて、オーバーブロー、オーバードローといった高度な技法を誰でも簡単に行えるようにすることを目的としたものであり、その構造は図４に示すようなものである。
ハーモニカ内部は（ｂ）に示すように仕切り板２によって仕切られており、ハーモニカ本体の基本的構造は従来のものと同じで、上側のリード板３には吹音用のリード５が下側のリード板４には吸音用のリード６が取り付けられており、上下の仕切られた各部屋にこれらのリードが１枚ずつ配置されている。ハーモニカ後部に開口部はなく、ハーモニカの上部と下部に上側の通気孔１と下側の通気孔７が設けられており、空気はこれらの穴からのみ出入りするようになっている。通気孔１を指で塞ぎ、息を吹くと、下側の吸音用のリードが強制的に振動させられ、通気孔７を塞ぎながら、息を吸うと、上側の吹音用のリードが強制的に振動させられ、これらによって、各リードは本来調律された音よりも約半音高い音で振動するというものである。
非常に興味深い発明だが、デメリットもある。ハーモニカを安定に保持しようとすると両方の手の平でハーモニカの両端を挟み込むような持ち方となるが、それだと両端に近い通気孔は指で塞ぐのは困難なのである。片方の手だけでハーモニカを持ち、もう片方の手の指で通気孔を塞ぐというやり方もあるが、ハーモニカを持つ手で通気孔を塞いでしまわないようにするためにはハーモニカのかなり前方を持たなければならないが、それだとタングブロックの時ハーモニカを深くくわえ込むことができなくなる。実際は吹いてない箇所は通気孔を塞いでしまっても問題がないので、低い音域を吹くときには右手で、高い音域を吹く時には左手でもつようにすることもできる。しかし、オーバーブローやオーバードローができればそれだけでよいというものでもない。ヴィブラートなどもかけなければならない。上側は手の平で覆ってやることで容易にヴィブラートをかけられるが、下側は難しいであろう。
ここで立ち止まって考えてみると、図４のように仕切り板をいれ、任意のリードをミュートできるような構造を持たせるなら、もはやオーバーブローやオーバードローといったテクニックに固執する必要がないことに気づく。テンホールズハーモニカではベンドによって音程を下げられるのは上下のリードのうち音の高い方だけである。それゆえ、ベンドだけでは出せない音があり、オーバーブローやオーバードローといったテクニックが必要になるのだが、図４のようなやり方で上下のリードのうち音の高い方をミュートしてしまえば、等価的には音の低い方のリードのみが取り付けられているのと同じことであり、音の低い方のリードであってもベンドできるようになるのである。これはリードの材質などによっても違うが、ベンド奏法を前提として作られた良質のリードなら問題なく半音程度は下げられるはずである。これによって、全ての音がベンドのみによって出せるようになり、オーバーブローやオーバードローといったテクニックは必ずしも必要ではなくなるのである。もし、これらのテクニックに固執しないのなら、ハーモニカ上部と下部の通気孔は必要ではなく、図５に示すような構造でよい。これは従来のハーモニカに仕切り板２をいれただけのものであり、７は歌口であり、通常のハーモニカと同様、開口部８はハーモニカの後部にある。
このような構造とするなら、ヴィブラートも自在であり、使い易いであろう。ベンドだけで全ての音を出せるのであるが、実はこのような構造だけでもオーバーブローやオーバードローといったテクニックは比較的やり易くなっているのである。このことはオーバーブローなどのテクニックをマスターしようとするため、上側のリードをセロハンテープなどで塞いで試したことのある人なら体験的に知っていることである。通気孔が後部にあるから、タングブロックなどのテクニックを舌ではなく、指で行うこともできる。
【先行技術文献】
【０００４】
【特許文献１】公開特許公報（Ａ）特開２０００−６６６６２（Ｐ２０００−６６６６２Ａ）
【考案の概要】
【考案が解決しようとする課題】
【０００５】  ハーモニカの音の配列を同じパターンの繰り返しになるようにし、吹き易くするとともに２つのメジャースケールをベンドなしで演奏できるように、またメジャー、ナチュラルマイナー、両方を１本のハーモニカで兼用できるよう機能をアップすることである。
【課題を解決するための手段】
【０００６】  吹音にシ♭の音を追加して４音とし、吹音、吸音とも同数にし、吸音を同じ音列パターンの繰り返しにすることである。
【図面の簡単な説明】
【０００７】  階名はいずれも移動ド唱法で書かれており、音列の右側に書かれているコードネームはＣ音をドとした時のものである。
【図１】デュアルキー・ハーモニカの音列を示している。（ａ）は、１穴に吹音用リードと吸音用リードを１枚ずつ備えたタイプの場合、（ｂ）は、１穴につき吹音用リードか吸音用リードを１枚ずつ備え、１穴ごとに吹音と吸音を繰り返すタイプのハーモニカで構成された場合である。
【図２】２ｎｄポジションでの音列とブルーノートスケールの音の出し方を、従来の１０ホールズハーモニカとデュアルキー・ハーモニカで比較したものである。
【図３】公開特許公報（Ａ）特開２０００−６６６６２（Ｐ２０００−６６６６２Ａ）におけるハーモニカの構造を記載した。
【図４】図３の改良形である。
【考案を実施するための形態】
【０００８】  ハーモニカの構造は従来のブルースハープまたはテンホールズハーモニカと呼ばれるものと同じとする。具体的な音列を図１（ａ）に示す。
吹音にシ♭を追加し、吸音を全音域でレ、ファ、ラ、シ、のパターンの繰り返しとしてある。
同じ音列パターンの繰り返しなので初心者でも使い易い。シ♭の音が加わっているので本来のキーだけでなく、その４度上のキーのメジャースケールが、ベンドなどの技法を用いることなく演奏できるようになっている。コード的には、Ｃキーの場合、吹音がＣ７、吸音がＤｍ６であるが、シ♭があるのでＤマイナーキーで使え、この場合、吸音がトニックコード、吹音がリーディングコードとなる。メロディだけでなく、コード的にもメジャーとマイナーを兼用できるようになっている。現在、ホーナー社ではメジャー用とナチュラルマイナー用の２種類のテンホールズハーモニカを出しているが、このハーモニカなら１本で間に合わせることができる。
【０００９】  ブルース演奏ではハーモニカ本来のキーの５度上のキー、いわゆる２ｎｄポジションで使用するのが基本的であるが、その場合の音列とブルーノートの出し方を従来のテンホールズハーモニカとこのノーマライズド・ハーモニカで比較したものが図３である。ドをソと読みかえて書いてある。（ａ）が従来のものであるが、低い音域ではブルーノートのミ♭、ソ♭、シ♭がドローベンドのみによって出せるようになっているが、高い音域ではミ♭はオーバーブロー、ソ♭はオーバードローという技法を必要とする。これはかなり難しい。
一方ノーマライズド・ハーモニカの場合は（ｂ）に示すように、全てドローベンドのみによって出せるようになっている。これは全音域を同じパターンの音列とした効果である。
つまり、このハーモニカはただ単に初心者でも容易に演奏できるというだけでなく、メジャー、マイナー、両方に兼用でき、それぞれにおいて２つのキーのスケールが演奏出来、さらに、ブルーノートスケールがドーローベンドのみによって容易に演奏出来るなどの特徴を持つ。さらに、吹音が７ｔｈコードとなっていることもブルース演奏では好ましい。ただ１音追加しただけのことではあるが、その効果はきわめて大きいいえる。
【００１０】  従来のテンホールズ・ハーモニカでは低音域の吸音がレ、ソ、シ、としてある。これによってまがりなりにもトニック、スーパートニック、ドミナントの３つのコードが出せるようになっている。。おそらくメーカーとしてはその辺のところが工夫のしどころだったのであろうが、そのために、低音域ではファとラの音がそのままでは出せなくなっている。
そこまで犠牲を払ってコード表現にこだわる必要はないであろう。じつは比較的簡単な構造のハーモニカで豊かなコード表現を可能とするハーモニカを構成することもそれほど難しいことではないのである。それについては近々これとは別に特許出願する予定である。
実はこのデュアルキーハーモニカは、その特許物件を考察中、副産物として生まれたものである。それゆえ、コード表現までを求めるなら他の形式のハーモニカを使用すべきであり、あえてイレギュラーな音列とする必要はないのである。
【００１１】  このハーモニカを図４のような構造によって構成するならさらに使い易い。図１（ａ）のタイプなら、２ｎｄポジションだけでなく、ハーモニカ本来のキー、すなわち、１ｓｔポジション、または４度上のキー、すなわち６ｔｈポジションで使用してもブルーノートスケールをベンドのみで演奏することができる。１本のハーモニカで３つのキーのブルーノートスケールを比較的簡単に演奏できるのである。
【００１２】  １穴につき吹音用リードまたは吸音用リードのどちらか１枚があり、１穴ごとに吹音と吸音が繰り返されるタイプのハーモニカの場合の音列を図１（ｂ）に示す。複音ハーモニカなどもこれに準ずる。吹音用リードの音列は図１（ａ）に示したものの吹音と同じ配列であり、吸音用リードの音列は図１（ａ）に示したものの吸音と同じ配列である。
【００１３】  テンホールズハーモニカの魅力はそのコンパクトさと簡素な構造にある。機能性を求めてあまりいじっても意味が無い。しかし、ここで示したくらいのことは許されるであろう
吹音にただ１音シ♭を加え、吸音を規則正しい音列にした、ただそれだけのことではあるが、その効果が極めて大きいことに気づいたのである。
【図１】
0003180250.tif 000003
【図２】
0003180250.tif 000004
【図３】
0003180250.tif 000005
【図４】
0003180250.tif 000006
【手続補正書】
【提出日】平成24年9月25日(2012.9.25)
【手続補正１】
【補正対象書類名】明細書
【補正対象項目名】全文
【補正方法】変更
【補正の内容】
【考案の詳細な説明】
【技術分野】
【０００１】  この考案はテンホールズハーモニカにおいて、２つのメジャースケールを演奏できるようにするとともに、ブルースでの演奏をやりやすくしたハーモニカの音列に関するものである。
【背景技術】
【０００２】  従来、ブルースハープ（１０ホールズハーモニカ）、複音ハーモニカなどは音の配列が音階の順に並んでいなかったために、やや吹きずらい面があった。
これらのハーモニカは、吹音がド、ミ、ソの３音、吸音がレ、ファ、ラ、シの４音となっている。吸音が吹音より１音多いため、中音域と低音域、高音域で音の配列パターンが異なってしまう。このイレギュラーな音列はお世辞にも吹き易いものであるとはいえなかった。テンホールズハーモニカの場合、このイレギュラーな音の配列のため、中低音域では吹音よりも吸音の音が高く、高音域では逆に吸音よりも吹音の音が高くなっている。このことはベンド奏法によってブルーノートを出す際、１つの障害となっていた。【０００３】  この考案の主眼はハーモニカの構造にあるのではなく、音の配列にあるのであるが、内部に仕切り板を入れたハーモニカで構成するとさらに好ましい。ハーモニカに仕切り板を入れるアイデアが初めて現れたのは、鈴木楽器製作所による特開２０００−６６６６２（Ｐ２０００−６６６６２Ａ）においてであった。これはテンホールズ・ハーモニカにおいて、オーバーブロー、オーバードローといった高度な技法を誰でも簡単に行えるようにすることを目的としたものであり、その構造は図４に示すようなものである。ハーモニカ内部は（ｂ）に示すように仕切り板２によって仕切られており、ハーモニカ本体の基本的構造は従来のものと同じで、上側のリード板３には吹音用のリード５が下側のリード板４には吸音用のリード６が取り付けられており、上下の仕切られた各部屋にこれらのリードが１枚ずつ配置されている。ハーモニカ後部に開口部はなく、ハーモニカの上部と下部に上側の通気孔１と下側の通気孔７が設けられており、空気はこれらの穴からのみ出入りするようになっている。通気孔１を指で塞ぎ、息を吹くと、下側の吸音用のリードが強制的に振動させられ、通気孔７を塞ぎながら、息を吸うと、上側の吹音用のリードが強制的に振動させられ、これらによって、各リードは本来調律された音よりも約半音高い音で振動するというものである。
非常に興味深い発明だが、デメリットもある。ハーモニカを安定に保持しようとすると両方の手の平でハーモニカの両端を挟み込むような持ち方となるが、それだと両端に近い通気孔は指で塞ぐのは困難なのである。片方の手だけでハーモニカを持ち、もう片方の手の指で通気孔を塞ぐというやり方もあるが、ハーモニカを持つ手で通気孔を塞いでしまわないようにするためにはハーモニカのかなり前方を持たなければならないが、それだとタングブロックの時ハーモニカを深くくわえ込むことができなくなる。実際は吹いてない箇所は通気孔を塞いでしまっても問題がないので、低い音域を吹くときには右手で、高い音域を吹く時には左手でもつようにすることもできる。しかし、オーバーブローやオーバードローができればそれだけでよいというものでもない。ヴィブラートなどもかけなければならない。上側は手の平で覆ってやることで容易にヴィブラートをかけられるが、下側は難しいであろう。
ここで立ち止まって考えてみると、図４のように仕切り板をいれ、任意のリードをミュートできるような構造を持たせるなら、もはやオーバーブローやオーバードローといったテクニックに固執する必要がないことに気づく。テンホールズハーモニカではベンドによって音程を下げられるのは上下のリードのうち音の高い方だけである。それゆえ、ベンドだけでは出せない音があり、オーバーブローやオーバードローといったテクニックが必要になるのだが、図４のようなやり方で上下のリードのうち音の高い方をミュートしてしまえば、等価的には音の低い方のリードのみが取り付けられているのと同じことであり、音の低い方のリードであってもベンドできるようになるのである。これはリードの材質などによっても違うが、ベンド奏法を前提として作られた良質のリードなら問題なく半音程度は下げられるはずである。これによって、全ての音がベンドのみによって出せるようになり、オーバーブローやオーバードローといったテクニックは必ずしも必要ではなくなるのである。もし、これらのテクニックに固執しないのなら、ハーモニカ上部と下部の通気孔は必要ではなく、図５に示すような構造でよい。これは従来のハーモニカに仕切り板２をいれただけのものであり、８は吹口であり、通常のハーモニカと同様、開口部９はハーモニカの後部にある。
このような構造とするなら、ヴィブラートも自在であり、使い易いであろう。ベンドだけで全ての音を出せるのであるが、実はこのような構造だけでもオーバーブローやオーバードローといったテクニックは比較的やり易くなっているのである。このことはオーバーブローなどのテクニックをマスターしようとするため、上側のリードをセロハンテープなどで塞いで試したことのある人なら体験的に知っていることである。通気孔が後部にあるから、タングブロックなどのテクニックを舌ではなく、指で行うこともできる。
【先行技術文献】
【０００４】
【特許文献１】公開特許公報（Ａ）特開２０００−６６６６２（Ｐ２０００−６６６６２Ａ）
【考案の概要】
【考案が解決しようとする課題】
【０００５】  ハーモニカの音の配列を同じパターンの繰り返しになるようにし、吹き易くするとともに２つのメジャースケールをベンドなしで演奏できるように、またメジャー、ナチュラルマイナー、両方を１本のハーモニカで兼用できるよう機能をアップすることである。
【課題を解決するための手段】
【０００６】  吹音にシ♭の音を追加して４音とし、吹音、吸音とも同数にし、吸音を同じ音列パターンの繰り返しにすることである。
【図面の簡単な説明】
【０００７】  階名はいずれも移動ド唱法で書かれており、音列の右側に書かれているコードネームはＣ音をドとした時のものである。
【図１】この考案によるハーモニカの音列を示している。（ａ）は、１穴に吹音用リードと吸音用リードを１枚ずつ備えたタイプの場合、（ｂ）は、１穴につき吹音用リードか吸音用リードを１枚ずつ備え、１穴ごとに吹音と吸音を繰り返すタイプのハーモニカで構成された場合である。
【図２】２ｎｄポジションでの音列とブルーノートスケールの音の出し方を、従来の１０ホールズハーモニカとこの考案によるハーモニカで比較したものである。
【図３】公開特許公報（Ａ）特開２０００−６６６６２（Ｐ２０００−６６６６２Ａ）におけるハーモニカの構造を記載した。
【図４】図３の改良形である。
【考案を実施するための形態】
【０００８】  ハーモニカの構造は従来のブルースハープまたはテンホールズハーモニカと呼ばれるものと同じとする。具体的な音列を図１（ａ）に示す。
吹音にシ♭を追加し、吸音を全音域でレ、ファ、ラ、シ、が繰り返されるパターンとしてある。
同じ音列パターンの繰り返しなので初心者でも使い易い。シ♭の音が加わっているので本来のキーだけでなく、その４度上のキーのメジャースケールが、ベンドやオーバーブローなどの技法を用いることなく演奏できるようになっている。コード的には、Ｃキーの場合、吹音がＣ７、吸音がＤｍ６であるが、シ♭があるのでＤマイナーキーで使え、この場合、吸音がトニックコード、吹音がリーディングコードとなる。メロディだけでなく、コード的にもメジャーとマイナーを兼用できるようになっている。現在、ホーナー社ではメジャー用とナチュラルマイナー用の２種類のテンホールズハーモニカを出しているが、このハーモニカなら１本で間に合わせることができる。
【０００９】  ブルース演奏ではハーモニカ本来のキーの５度上のキー、いわゆる２ｎｄポジションで使用するのが基本的であるが、その場合の音列とブルーノートの出し方を従来のテンホールズハーモニカとこの考案によるハーモニカで比較したものが図３である。ドをソと読みかえて書いてある。（ａ）が従来のものであるが、低い音域ではブルーノートのミ♭、ソ♭、シ♭がドローベンドのみによって出せるようになっているが、高い音域ではミ♭はオーバーブロー、ソ♭はオーバードローという技法を必要とする。これはかなり難しい。一方この考案によるハーモニカの場合は（ｂ）に示すように、全てドローベンドのみによって出せるようになっている。これは全音域を同じパターンの音列とした効果である。
つまり、このハーモニカはただ単に初心者でも容易に演奏できるというだけでなく、メジャー、マイナー、両方に兼用でき、それぞれにおいて２つのキーのスケールが演奏出来、さらに、ブルーノートスケールがドーローベンドのみによって容易に演奏出来るなどの特徴を持つ。さらに、吹音が７ｔｈコードとなっていることもブルース演奏では好ましい。ただ１音追加しただけのことではあるが、その効果はきわめて大きいいえる。
【００１０】  従来のテンホールズ・ハーモニカでは低音域の吸音がレ、ソ、シ、としてある。これによってまがりなりにもトニック、スーパートニック、ドミナントの３つのコードが出せるようになっている。。おそらくメーカーとしてはその辺のところが工夫のしどころだったのであろうが、そのために、低音域ではファとラの音がそのままでは出せなくなっている。そこまで犠牲を払ってコード表現にこだわる必要はないであろう。じつは比較的簡単な構造のハーモニカで豊かなコード表現を可能とするハーモニカを構成することもそれほど難しいことではないのである。それについては近々これとは別に特許出願する予定である。実はこのハーモニカは、その特許物件を考察中、副産物として生まれたものである。それゆえ、コード表現までを求めるなら他の形式のハーモニカを使用すべきであり、あえてイレギュラーな音列とする必要はないのである。
【００１１】  このハーモニカを図４のような構造によって構成するならさらに使い易い。図１（ａ）のタイプなら、２ｎｄポジションだけでなく、ハーモニカ本来のキー、すなわち、１ｓｔポジション、または４度上のキー、すなわち６ｔｈポジションで使用してもブルーノートスケールをベンドのみで演奏することができる。１本のハーモニカで３つのキーのブルーノートスケールを比較的簡単に演奏できるのである。
【００１２】  １穴につき吹音用リードまたは吸音用リードのどちらか１枚があり、１穴ごとに吹音と吸音が繰り返されるタイプのハーモニカの場合の音列を図１（ｂ）に示す。複音ハーモニカなどもこれに準ずる。吹音用リードの音列は図１（ａ）に示したものの吹音と同じ配列であり、吸音用リードの音列は図１（ａ）に示したものの吸音と同じ配列である。
【００１３】  テンホールズハーモニカの魅力はそのコンパクトさと簡素な構造にある。機能性を求めてあまりいじっても意味が無い。しかし、ここで示したくらいのことは許されるであろう  吹音にただ１音シ♭を加え、吸音を規則正しい音列にした、ただそれだけのことではあるが、その効果が極めて大きいことに気づいたのである。
【考案の効果】
この考案によって、２つのキーのメジャースケールをベンドやオーバブローなどのテクニックを用いる事無く演奏出来、コード的にはメジャーとナチュラルマイナー両方に対応し、２ｎｄポジションでのブルーノートスケールがベンドのみで演奏できるようになった。
【符号の説明】
【００１４】１  上側の通気孔
２  仕切り板
３  上側のリード板
４  下側のリード板
５  吹音用リード
６  吸音用リード
７  下側の通気孔
８  吹口
９  開口部
【手続補正２】
【補正対象書類名】図面
【補正対象項目名】図１
【補正方法】変更
【補正の内容】
【図１】
0003180250.tif 000007
【手続補正３】
【補正対象書類名】図面
【補正対象項目名】図２
【補正方法】変更
【補正の内容】
【図２】
0003180250.tif 000008
【手続補正４】
【補正対象書類名】図面
【補正対象項目名】図４
【補正方法】変更
【補正の内容】
【図４】
0003180250.tif 000009
【手続補正５】
【補正対象書類名】実用新案登録請求の範囲
【補正対象項目名】請求項１
【補正方法】変更
【補正の内容】
【請求項１】
１穴につき吹音用リードと吸音用リードを１枚ずつ有するシングルリード式のハーモニカ、あるいは複音ハーモニカであって、音域は随意であるが、吹音用リードの音列を、
ド  ミ  ソ  シ♭  ド  ミ  ソ  シ♭  ド  ミ  ソ  シ♭
のパターンの繰り返しとし、吸音用リードの音列を、
レ  ファ  ラ  シ  レ  ファ  ラ  シ  レ  ファ  ラ  シ
のパターンの繰り返としたハーモニカ。